(57)【要約】【課題】　本発明の課題は、通信回線を介して装置間で連携することによってＷｅｂサービス提供処理装置に蓄積された文書を他のＷｅｂサービス提供処理装置への複写又は印刷させる複数のＷｅｂサービス提供処理装置との間で行われる処理シーケンスを制御する端末装置を提供することを目的とする。【解決手段】　本発明の課題は、情報を管理する管理装置と、該情報を処理する処理装置とに処理を要求する処理リクエストの送信及び該処理リクエストに応じた該管理装置と該処理装置とからの処理レスポンスの受信を所定プロトコルに従って制御するクライアント処理手段と、上記管理装置の上記情報を上記処理装置にて処理可能とする第一処理可能条件を取得し、該処理装置が該第一処理可能条件に基づく該情報に対する処理を行うように上記クライアント処理手段を制御する処理制御手段とを有する端末装置によって達成される。によって達成される。【選択図】　図５
2004133923.tif 000002
【特許請求の範囲】
【請求項１】
　情報を管理する管理装置と、該情報を処理する処理装置とを通信回線を介して接続し、該管理装置と該処理装置とに処理を要求する処理リクエストの送信及び該処理リクエストに応じた該管理装置と該処理装置とからの処理レスポンスの受信を所定プロトコルに従って制御するクライアント処理手段と、
　上記管理装置の上記情報を上記処理装置にて処理可能とする第一処理可能条件を取得し、該処理装置が該第一処理可能条件に基づく該情報に対する処理を行うように上記クライアント処理手段を制御する処理制御手段とを有することを特徴とする端末装置。
【請求項２】
　上記処理制御手段は、
　上記管理装置から上記情報を取得可能とする第二処理可能条件を該管理装置から取得する処理シーケンスを制御する第一シーケンス制御手段と、
　上記処理装置に情報を書き込み可能とする書込条件を示す第三処理可能条件を該処理装置から取得する処理シーケンスを制御する第二シーケンス制御手段と、
　上記第二処理可能条件と上記第三処理可能条件とに基づいて、上記第一処理可能条件を判断する条件判断手段とを有することを特徴とする請求項１記載の端末装置。
【請求項３】
　上記処理制御手段は、
　上記判断手段による判断結果に基づく上記第一処理可能条件に従った上記情報を上記処理装置が上記管理装置から複写する処理シーケンスを制御する第三シーケンス手段とを有することを特徴とする請求項１又は２記載の端末装置。
【請求項４】
　上記処理制御手段は、
　上記判断手段による判断結果に基づく上記第一処理可能条件に従った上記情報を上記管理装置が上記処理装置へ書き込む処理シーケンスを制御する第四シーケンス手段とを有することを特徴とする請求項１又は２記載の端末装置。
【請求項５】
　上記処理制御手段からのコマンドに応じて、所定プロトコルに従って該コマンドを示す処理リクエストを構築する処理リクエスト構築手段と、
　処理リクエストに応じて上記管理装置又は上記処理装置から送信された処理レスポンスを解釈する処理レスポンス解釈手段とを有することを特徴とする請求項１乃至４のいずれか一項記載の端末装置。
【請求項６】
　上記管理装置で管理される上記情報に対する処理を操作する操作手段を有し、
　利用者による上記操作手段の操作に応じて、上記処理制御手段は、上記処理リクエスト構築手段を制御して、上記処理リクエストを構築することを特徴とする請求項１乃至５のいずれか一項記載の端末装置。
【請求項７】
　上記操作手段は、通信回線を介して接続される上記管理装置及び上記処理装置を含む複数の装置の一覧を表示する第一表示域と上記利用者によって該第一表示域にて指定された上記管理装置が管理する上記情報の一覧を表示する第二表示域とを表示ユニットに表示させる表示手段を有し、
　上記条件取得制御手段は、上記利用者による上記第二表示域に表示される上記情報を上記第一表示域に表示される上記処理装置への複写操作又は移動操作に応じて実行されることを特徴とする請求項６記載の端末装置。
【請求項８】
　上記操作手段は、上記利用者による複写操作又は移動操作に応じて、該利用者によって処理種別を指定可能とする第一処理指定手段を有することを特徴とする請求項７記載の端末装置。
【請求項９】
　上記操作手段は、上記処理種別の指定に応じて、上記利用者による処理方法を指定可能とする第二処理指定手段を有することを特徴とする請求項７又は８記載の端末装置。
【請求項１０】
　上記操作手段は、上記第二表示域において利用者によって指定された複数の情報に対する上記処理装置での処理順序を該利用者によって指定可能とする第三処理指定手段を有することを特徴とする請求項７乃至９のいずれか一項記載の端末装置。
【請求項１１】
　情報を管理する管理装置と、該情報を処理する処理装置とを通信回線を介して接続し、該管理装置と該処理装置とに処理を要求する処理リクエストの送信及び該処理リクエストに応じた該管理装置と該処理装置とからの処理レスポンスの受信を所定プロトコルに従って制御するクライアント処理手順と、
　上記管理装置の上記情報を上記処理装置にて処理可能とする第一処理可能条件を取得し、該処理装置が該第一処理可能条件に基づく該情報に対する処理を行うように上記クライアント処理手順を制御する処理制御手順とを端末装置に行なわせるためのプログラムを記録した記録媒体。
【請求項１２】
　情報を管理する管理装置と、該情報を処理する処理装置とを通信回線を介して接続し、該管理装置と該処理装置とに処理を要求する処理リクエストの送信及び該処理リクエストに応じた該管理装置と該処理装置とからの処理レスポンスの受信を所定プロトコルに従って制御するクライアント処理手順と、
　上記管理装置の上記情報を上記処理装置にて処理可能とする第一処理可能条件を取得し、該処理装置が該第一処理可能条件に基づく該情報に対する処理を行うように上記クライアント処理手順を制御する処理制御手順とを端末装置に行なわせるためのプログラム。
【請求項１３】
　情報を管理する情報管理手段と、
　通信回線を介して接続される端末装置からの上記情報に対する処理可能条件の取得要求に応じて、第二処理可能条件を該端末装置へ通知する条件通知手段と、
　上記情報を処理する処理装置から上記第二処理可能条件の範囲内である第一処理可能条件に従った該情報の取得要求に応じて上記情報管理手段から取得した該情報を該装置へ提供するサービス提供処理手段とを有することを特徴とするＷｅｂサービス提供処理装置。
【請求項１４】
　上記条件通知手段と、上記サービス提供処理手段とを有するプログラムと、
　上記処理で利用されるハードウェア資源の管理を行うコントロールサービスと、
　上記アプリケーションと上記コントロールサービスとを制御するオペレーティングシステムとを有することを特徴とする請求項１３記載のサービス提供処理装置。
【請求項１５】
　　所定プロトコルに従って上記処理を要求する処理リクエストを解釈し、上記サービス提供手段に該処理を通知する処理リクエスト解釈手段と、
　上記所定プロトコルに従って上記処理リクエストに応じてなされた処理の処理結果を示す処理レスポンスを構築する処理レスポンス構築手段とを有することを特徴とする請求項１３又は１４記載のＷｅｂサービス提供処理装置。
【請求項１６】
　　上記処理リクエスト解釈手段は、上記端末装置からの上記情報に対する処理可能条件の取得要求を示す処理リクエストを解釈する手段と、
　上記処理レスポンス構築手段は、上記第二処理可能条件を示す処理レスポンスを構築することを特徴とする請求項１４又は１５記載のＷｅｂサービス提供処理装置。
【請求項１７】
　情報を管理する情報管理手順と、
　通信回線を介して接続される端末装置からの上記情報に対する処理可能条件の取得要求に応じて、第二処理可能条件を該端末装置へ通知する条件通知手順と、
　上記情報を処理する処理装置から上記第二処理可能条件の範囲内である第一処理可能条件に従った該情報の取得要求に応じて上記情報管理手順から取得した該情報を該装置へ提供するサービス提供処理手順とを有することを特徴とするＷｅｂサービス提供処理方法。
【請求項１８】
　通信回線を介して接続される端末装置からの情報に対する処理可能条件の取得要求に応じて、第三処理可能条件を該端末装置へ通知する条件通知手段と、
　所定プロトコルに従って上記端末装置から受信した上記第三処理可能条件の範囲内である第一処理可能条件に従って、上記情報を管理する管理装置の該情報に対する処理要求を示す処理リクエストを解釈する処理リクエスト解釈手段と、
　上記処理リクエストに応じて、上記端末装置へ送信される上記第一処理可能条件に従って上記管理装置から取得した上記情報に対する処理結果を示す処理レスポンスを、上記所定プロトコルに従って構築する処理レスポンス構築手段とを有することを特徴とするＷｅｂサービス提供処理装置。
【請求項１９】
　上記第一処理可能条件に従って上記装置へ上記情報の取得要求を示す上記処理リクエストを、上記所定プロトコルに従って構築する処理リクエスト構築手段と、
　上記所定プロトコルに従って上記装置から受信した上記情報を示す上記処理レスポンスを解釈する処理レスポンス解釈手段とを有することを特徴とする請求項１８記載のＷｅｂサービス提供処理装置。
【請求項２０】
　通信回線を介して接続される端末装置からの情報に対する処理可能条件の取得要求に応じて、第三処理可能条件を該端末装置へ通知する条件通知手順と、
　所定プロトコルに従って上記端末装置から受信した上記第三処理可能条件の範囲内である第一処理可能条件に従って、上記情報を管理する管理装置の該情報に対する処理要求を示す処理リクエストを解釈する処理リクエスト解釈手順と、
　上記処理リクエストに応じて、上記端末装置へ送信される上記第一処理可能条件に従って上記管理装置から取得した上記情報に対する処理結果を示す処理レスポンスを、上記所定プロトコルに従って構築する処理レスポンス構築手順とを有することを特徴とするＷｅｂサービス提供処理方法。
【発明の詳細な説明】
【技術分野】
【０００１】
　本発明は、通信回線を介して装置間で連携することによってＷｅｂサービス提供処理装置に蓄積された文書を他のＷｅｂサービス提供処理装置への複写又は印刷させる複数のＷｅｂサービス提供処理装置との間で行われる処理シーケンスを制御する端末装置を提供するものである。
【０００２】
　また、通信回線を介して装置間で連携することによってＷｅｂサービス提供処理装置に蓄積された文書を他のＷｅｂサービス提供処理装置への複写又は印刷を実現すると共に、利用者によるそのような操作をパーソナルコンピュータから可能とするＷｅｂサービス提供処理装置を提供するものである。また、そのようなＷｅｂサービス提供処理装置での処理を行うＷｅｂサービス提供処理方法を提供する。
【背景技術】
【０００３】
　ネットワークを介して接続される画像形成装置へ画像データに関する処理を行わせる従来技術として、ネットワークを介して情報出力装置に接続可能な画像形成装置において、ネットワーク上の全ての装置で出力した際には出力画像品質を損なわないように、画像処理の補正データをネットワークを介して取得し、出力に最適な画像補正を行ってデータをネットワークに接続された装置に出力するようにする技術が知られている（例えば、特許文献１参照。）。
【特許文献１】特開２０００−６４９６号公報。
【発明の開示】
【発明が解決しようとする課題】
【０００４】
　しかしながら、上記従来技術では、ネットワーク上の他の装置での画像データの出力を目的としているため、処理の種別に応じた画像形成装置間での処理シーケンスの制御が行われない。従って、画像処理にのみ限定されない種々の機能を有する複合型の画像形成装置がネットワーク上に存在したとしても、装置間で連携して、処理の種別に応じた処理を実現することができないという問題があった。
【０００５】
　そこで、本発明の課題は、通信回線を介して装置間で連携することによってＷｅｂサービス提供処理装置に蓄積された文書を他のＷｅｂサービス提供処理装置への複写又は印刷を実現すると共に、利用者によるそのような操作を端末装置から可能とするＷｅｂサービス提供処理装置を提供することである。
【０００６】
　また、通信回線を介して装置間で連携することによってＷｅｂサービス提供処理装置に蓄積された文書を他のＷｅｂサービス提供処理装置への複写又は印刷させる複数のＷｅｂサービス提供処理装置との間で行われる処理シーケンスを制御する端末装置を提供することである。
【課題を解決するための手段】
【０００７】
　上記課題を解決するため、本発明は、請求項１に記載されるように、情報を管理する管理装置と、該情報を処理する処理装置とを通信回線を介して接続し、該管理装置と該処理装置とに処理を要求する処理リクエストの送信及び該処理リクエストに応じた該管理装置と該処理装置とからの処理レスポンスの受信を所定プロトコルに従って制御するクライアント処理手段と、上記管理装置の上記情報を上記処理装置にて処理可能とする第一処理可能条件を取得し、該処理装置が該第一処理可能条件に基づく該情報に対する処理を行うように上記クライアント処理手段を制御する処理制御手段とを有するに構成される。
【０００８】
　このような端末装置では、通信回線上において、管理装置に蓄積された文書を処理装置で処理させる複数の装置間で処理を連携させる処理シーケンスを制御することができる。
【０００９】
　上記所定プロトコルは、例えば、ＳＯＡＰ（Simple Object Access Protocol）である。
【００１０】
　また、本発明は、請求項２に記載されるように、上記処理制御手段は、上記管理装置から上記情報を取得可能とする第二処理可能条件を該管理装置から取得する処理シーケンスを制御する第一シーケンス制御手段と、上記処理装置に情報を書き込み可能とする書込条件を示す第三処理可能条件を該処理装置から取得する処理シーケンスを制御する第二シーケンス制御手段と、上記第二処理可能条件と上記第三処理可能条件とに基づいて、上記第一処理可能条件を判断する条件判断手段とを有するように構成することができる。
【００１１】
　このような端末装置では、管理装置と処理装置とで処理可能な適切な第一処理可能条件を判断することができる。
【００１２】
　更に、本発明は、請求項３に記載されるように、上記処理制御手段は、上記判断手段による判断結果に基づく上記第一処理可能条件に従った上記情報を上記処理装置が上記管理装置から複写する処理シーケンスを制御する第三シーケンス手段とを有するように構成することができる。
【００１３】
　このような端末装置では、処理装置が管理装置から文書を複写するＰＵＬＬ型の文書複写処理を行うことができる。
【００１４】
　また、本発明は、請求項４に記載されるように、上記処理制御手段は、上記判断手段による判断結果に基づく上記第一処理可能条件に従った上記情報を上記管理装置が上記処理装置へ書き込む処理シーケンスを制御する第四シーケンス手段とを有するように構成することができる。
【００１５】
　このような端末装置では、管理装置が処理装置へ文書を書き込むＰＵＳＨ型の文書複写処理を行うことができる。
【００１６】
　更に、本発明は、請求項５に記載されるように、上記処理制御手段からのコマンドに応じて、所定プロトコルに従って該コマンドを示す処理リクエストを構築する処理リクエスト構築手段と、上記処理リクエストに応じて上記管理装置又は上記処理装置から送信された処理レスポンスを解釈する処理レスポンス解釈手段とを有するように構成することができる。
【００１７】
　このような端末装置では、処理制御手段による制御に従って、処理リクエストが構築され、また、処理制御手段に制御された処理リクエストに応じた処理レスポンスが解釈される。従って、端末装置は、管理装置及び処理装置に対して、処理制御手段の制御による処理リクエストを送信することができ、管理装置と処理装置との連携を制御することができる。
【００１８】
　また、本発明は、請求項６に記載されるように、上記管理装置で管理される上記情報に対する処理を操作する操作手段を有し、利用者による上記操作手段の操作に応じて、上記処理制御手段は、上記処理リクエスト構築手段を制御して、上記処理リクエストを構築するように構成することができる。
【００１９】
　このような端末装置では、利用者の操作に応じて、管理装置の情報を装置間の連携によって処理するための処理シーケンスの制御を開始することができる。
【００２０】
　更に、本発明は、請求項７に記載されるように、上記操作手段は、通信回線を介して接続される上記管理装置及び上記処理装置を含む複数の装置の一覧を表示する第一表示域と上記利用者によって該第一表示域にて指定された上記管理装置が管理する上記情報の一覧を表示する第二表示域とを表示ユニットに表示させる表示手段を有し、上記条件取得制御手段は、上記利用者による上記第二表示域に表示される上記情報を上記第一表示域に表示される上記処理装置への複写操作又は移動操作に応じて実行されるように構成することができる。
【００２１】
　このような端末装置では、利用者は画面上で簡単な操作のみで、装置間の連携によって処理を要求することができる。
【００２２】
　また、本発明は、請求項８に記載されるように、上記操作手段は、上記利用者による複写操作又は移動操作に応じて、該利用者によって処理種別を指定可能とする第一処理指定手段を有するように構成することができる。また、本発明は、請求項９に記載されるように、上記操作手段は、上記処理種別の指定に応じて、上記利用者による処理方法を指定可能とする第二処理指定手段とを有するように構成することができる。
【００２３】
　このような端末装置では、利用者は、例えば、複写処理又は印刷処理等の複数の処理から一つを特定する処理種別を指定することができる。
【００２４】
　更に、本発明は、請求項１０に記載されるように、上記操作手段は、上記第二表示域において利用者によって指定された複数の情報に対する上記処理装置での処理順序を該利用者によって指定可能とする第三処理指定手段を有するように構成することができる。
【００２５】
　このような端末装置では、複数の情報（例えば、文書）の処理を指定した場合に、その処理の順序を指定することができる。
【００２６】
　また、上記課題を解決するための手段として、本発明は、請求項１１に記載されるように、上記端末装置での処理をコンピュータに行なわせるためのプログラムを記憶した記憶媒体とすることもできる。更に、本発明は、請求項１２に記載されるように、上記端末装置での処理をコンピュータに行なわせるためのプログラムとすることもできる。
【００２７】
　更に、上記課題を解決するための手段として、本発明は、請求項１３に記載されるように、情報を管理する情報管理手段と、通信回線を介して接続される端末装置からの上記情報に対する処理可能条件の取得要求に応じて、第二処理可能条件を該端末装置へ通知する条件通知手段と、上記情報を処理する処理装置から上記第二処理可能条件の範囲内である第一処理可能条件に従った該情報の取得要求に応じて上記情報管理手段から取得した該情報を該装置へ提供するサービス提供処理手段とを有するように構成される。
【００２８】
　このようなＷｅｂサービス提供処理装置では、情報を管理する管理装置として、端末装置へ通知した第二処理可能条件の範囲内である第一処理可能条件に従った該情報の取得要求に応じて、処理装置へ情報を送信することができる。管理装置として、処理装置との間で処理可能な第一処理可能条件に基づいた情報を処理装置へ送信するように制御される。
【００２９】
　また、本発明は、請求項１７に記載されるように、上記での処理を行うＷｅｂサービス提供処理方法とすることもできる。
【００３０】
　更に、上記課題を解決するための手段として、本発明は、請求項１８に記載されるように、通信回線を介して接続される端末装置からの情報に対する処理可能条件の取得要求に応じて、第三処理可能条件を該端末装置へ通知する条件通知手段と、所定プロトコルに従って上記端末装置から受信した上記第三処理可能条件の範囲内である第一処理可能条件に従って、上記情報を管理する管理装置の該情報に対する処理要求を示す処理リクエストを解釈する処理リクエスト解釈手段と、上記処理リクエストに応じて、上記端末装置へ送信される上記第一処理可能条件に従って上記管理装置から取得した上記情報に対する処理結果を示す処理レスポンスを、上記所定プロトコルに従って構築する処理レスポンス構築手段とを有するように構成される。
【００３１】
　このようなＷｅｂサービス提供処理装置では、情報を処理する処理装置として、処理の対象となる第一処理可能条件に基づいた情報に対して処理を実行し、端末装置へ処理結果を提供することができる。
【００３２】
　また、本発明は、請求項２０に記載されるように、上記Ｗｅｂサービス提供処理装置での処理を行うＷｅｂサービス提供処理方法とすることもできる。
【発明の効果】
【００３３】
　以上、説明してきたように、本願発明によれば、文書送り元装置と文書送り先装置との間で利用者が利用している端末で処理シーケンスを制御するため、互いに処理可能な文書タイプに基づいて、文書送り元装置の文書を文書送り先装置にて処理を行うようにすることができる。
【発明を実施するための最良の形態】
【００３４】
　以下、本発明の実施の形態を図面に基づいて説明する。
【実施例１】
【００３５】
　複数の画像形成機能を融合する本発明の第一実施例に係る画像形成装置は、例えば、図１に示すような機能構成を成す。図１は、本発明の第一実施例に係る複数の画像形成機能を融合する画像形成装置の全体機能構成を示すブロック図である。
【００３６】
　図１において、画像形成装置１２００は、プリンタ処理を行うためのハードウェア資源であるプロッタ１２０１と、スキャナ処理を行うためのハードウェア資源であるスキャナ１２０２と、その他ハードウェアリソース１２０３などを有するとともに、プラットフォーム１２２０とアプリケーション１２３０とから構成されるソフトウェア１２１０と、起動部１２４０とを備えている。
【００３７】
　起動部１２４０は、画像形成装置１２００の電源投入時に先ず始めに実行され、プラットフォーム１２２０やアプリケーション１２３０を起動する。
【００３８】
　ＡＰＩ（Application Program Interface）１２０５は、アプリケーション１２３０とプラットフォーム１２２０とのインターフェイスを提供する。プラットフォーム１２２０は、ＡＰＩ１２０５を介して通知されるアプリケーション１２３０からの処理要求を解釈して、ハードウェア資源の獲得要求を発生させる下記に示すコントロールサービス１２５０と、一または複数のハードウェア資源の管理をおこない、コントロールサービス１２５０からの獲得要求を調停するシステムリソースマネージャー（ＳＲＭ（System Resource Manager）１２２３）と、ＯＳ１２２１とを有する。
【００３９】
　このコントロールサービス１２５０は、複数のサービスモジュールにより形成され、具体的には、ＳＣＳ（System Control Service）１２２２と、ＥＣＳ(Engine Control Service)１２２４と、ＭＣＳ（Memory Control Service）１２２５と、ＯＣＳ（Operation panel Control Service）１２２６と、ＦＣＳ（FAX Control Service）１２２７と、ＮＣＳ（Network Control Service）１２２８と、ＩＭＨ（Imaging Memory Handler）１２２９とがある。
【００４０】
　ＯＳ１２２１は、ＵＮＩＸ（登録商標）などのオペレーティングシステムであり、プラットフォーム１２２０並びにアプリケーション１２３０の各ソフトウェアをそれぞれプロセスとして並列実行する。オープンソースのＵＮＩＸ（登録商標）を用いることにより、プログラムの安全性を確保できるとともに、ネットワーク対応可能となり、ソースコードの入手も容易となる。さらに、ＯＳ、ＴＣＰ／ＩＰのロイヤリティが不要であり、アウトソーシングも容易となる。ＯＳ１２２１は、このように画像処理に使用される各ハードウェア資源を直接制御する点において、パーソナルコンピュータ（ＰＣ）等のオペレーティングシステムとは異なっている。なせなら、通常、ＰＣは、接続されるスキャナやプリンタ等の画像形成装置を制御することはできるが、それら画像形成装置内のハードウェア資源を制御することができないからである。
【００４１】
　ＳＲＭ１２２３は、ＳＣＳ１２２２とともにシステムの制御およびリソースの管理をおこなうものであり、スキャナ１２０２やプロッタ１２０１などのエンジン部、メモリ、ＨＤＤファイル、ホストＩ／Ｏ（セントロＩ／Ｆ、ネットワークＩ／Ｆ、ＩＥＥＥ１３９４Ｉ／Ｆ、ＲＳ２３２ＣＩ／Ｆなど）のハードウェア資源を利用する上位層からの要求にしたがって調停をおこない、実行制御する。
【００４２】
　具体的には、このＳＲＭ１２２３は、要求されたハードウェア資源が利用可能であるかどうか（他の要求により利用されていないかどうか）を判断し、利用可能であれば要求されたハードウェア資源が利用可能である旨を上位層に伝える。また、上位層からの要求に対してハードウェア資源の利用スケジューリングをおこない、要求内容（たとえば、プリンタエンジン（プロッタ１２０１）による紙搬送と作像動作、メモリ確保、ファイル生成など）を直接実施するようにしてもよい。
【００４３】
　ＳＣＳ１２２２は、アプリ管理（機能１）、操作部制御（機能２）、システム画面表示（ジョブリスト画面、カウンタ表示画面など）（機能３）、ＬＥＤ表示（機能４）、リソース管理（機能５）、割り込みアプリ制御（機能６）等の複数の機能を行なう。具体的には、アプリ管理（機能１）では、アプリの登録と、その情報を他のアプリに通知する処理をおこなう。操作部制御（機能２）では、アプリの操作部使用権の排他制御をおこなう。システム画面表示（機能３）では、操作部使用権を持つアプリからの要求内容に応じて、エンジン部の状態に対応する警告画面の表示をおこなう。ＬＥＤ表示（機能４）では、警告ＬＥＤ、アプリキーなどのシステムＬＥＤの表示制御をおこなう。リソース管理（機能５）では、アプリ（ＥＣＳ）がジョブを実行するにあたって、排他しなければならないエンジンリソース（スキャナ、ステープルなど）の排他制御のためのサービスをおこなう。割り込みアプリ制御（機能６）では、特定のアプリを優先動作させるための制御及びサービスをおこなう。
【００４４】
　ＥＣＳ１２２４は、プロッタ１２０１と、スキャナ１２０２と、その他ハードウェアリソース１２０３などのエンジン部を制御するものであり、画像読み込みと印刷動作、状態通知、ジャムリカバリなどをおこなう。
【００４５】
　ＭＣＳ１２２５は、メモリ制御をおこなうものであり、具体的には、画像メモリの取得および開放、ハードディスク装置（ＨＤ）の利用、画像データの圧縮および伸張などをおこなう。
【００４６】
　ＯＣＳ１２２６は、オペレータと本体制御間の情報伝達手段となる操作パネルを制御するモジュールであり、オペレータのキー操作イベントを本体制御に通知する処理、各アプリがＧＵＩを構築するためのライブラリ関数を提供する処理、構築されたＧＵＩ情報をアプリ別に管理する処理、操作パネル上への表示反映処理などをおこなう。
【００４７】
　ＦＣＳ１２２７は、システムコントローラの各アプリ層からＰＳＴＮ／ＩＳＤＮ網を使ったファクシミリ送受信、ＢＫＭ（バックアップＳＲＡＭ）で管理されている各種ファクシミリデータの登録／引用、ファクシミリ読み取り、ファクシミリ受信印刷、融合送受信をおこなうためのＡＰＩ１２０５を提供する。
【００４８】
　ＮＣＳ１２２８は、ネットワークＩ／Ｏを必要とするアプリケーションに対して共通に利用できるサービスを提供するためのモジュール群であり、ネットワーク側から各プロトコルによって受信したデータを各アプリケーションに振り分けたり、アプリケーションからデータをネットワーク側に送信する際の仲介をおこなう。ＮＣＳ１２２８は、例えば、少なくとも、ネットワークを介して接続された装置との通信を制御するｈｔｔｐｄ（Hypertext Transfer Protocol Daemon）２と、ＵＳＢ(Universal Serial Bus)接続による通信を制御するｕｓｂｄ(Universal Serial Bus Daemon)２−１と、ＩＥＥＥ1349接続による通信を制御する１３４９ｄ（Daemon）２−２と、セントロニクス接続による通信を制御するｃｅｎｔｒｏｄ（Centronics Daemon）２−３と、ブルートゥース接続による通信を制御するｂｒｔｓ（Bluetooth Daemon）２−４と、赤外線による通信を制御するｉｒｄ（Infrared Daemon）２−５と、ＳＣＳＩ接続による通信を制御するｓｃｓｉｄ（SCSI Daemon）２−６と、ファイル転送プロトコルｆｔｐｄ（File Transfer Protocol Daemon）３とを有する。
【００４９】
　ＩＭＨ１２２９は、イメージデータを仮想メモリ領域から物理メモリ領域へマップする。プロセスの起動に応じて、システムコールを行ない、プロセス用の仮想メモリ領域をマップしたり、マップした仮想メモリ領域をプロセスの終了時に開放する処理等を行なう。
【００５０】
　アプリケーション１２３０は、ページ記述言語（ＰＤＬ）、ＰＣＬおよびポストスクリプト（ＰＳ）を有するプリンタ用のアプリケーションであるプリンタアプリ１２１１と、コピー用アプリケーションであるコピーアプリ１２１２と、ファクシミリ用アプリケーションであるファックスアプリ１２１３と、スキャナ用アプリケーションであるスキャナアプリ１２１４と、ネットファイル用アプリケーションであるネットファイルアプリ１２１５と、文書管理に関する処理を実行し、その結果を提供する文書管理Ｗｅｂサービスアプリ１２１６と、文書処理毎にチケットを発行し管理するチケット管理Ｗｅｂサービスアプリ１２１７とを有する。各アプリケーション１２１１〜１２１７は、プラットフォーム１２２０上の各プロセスを利用して動作実行し得るため、画面制御、キー操作制御およびジョブ生成などをおこなう画面表示制御プログラムがその主体となる。なお、ＮＣＳ１２２８により接続されたネットワークを介して新たなアプリケーションをネットワーク経由で搭載することもできる。また、各アプリケーションはアプリケーションごとに追加または削除することができる。
【００５１】
　このように、画像形成装置１２００は、各アプリで共通的に必要となる処理をプラットフォーム１２２０で一元的に処理する。
【００５２】
　次に、画像形成装置１２００のハードウェア構成について説明する。図２は、図１に示す画像形成装置のハードウェア構成を示すブロック図である。　図２に示すように、この画像形成装置１２００は、オペレーションパネル１３１０と、ＦＣＵ（ファックスコントロールユニット）１３２０、プロッタ１２０１、スキャナ１２０２及びその他ハードウェア１２０３とで構成されるエンジン部１３５０と、コントローラ１３００のＡＳＩＣ１３０１とをＰＣＩ（Peripheral Component Interconnect）バス等で接続した構成となる。
【００５３】
　ＦＣＵ１３２０は、受信したファックスデータを格納するための不揮発性メモリ（ＮＶＭ）１３２１と、ＦＣＵ１３２０内での時間を計測するためのＲＴＣ（Real Time Clock）１３２２とを有し、通常Ｇ３規格に従ってファックスデータの送受信を行う。ＦＣＵ１３２０は、オプションとして更にＧ３規格とＧ４規格とを搭載しても良い。
【００５４】
　コントローラ１３００は、ＡＳＩＣ１３０１にＭＥＭ−Ｃ１３０２、ＨＤＤ（Hard Disk Drive）１３０３などを接続するとともに、このＡＳＩＣ１３０１とＣＰＵ１３０４とをＣＰＵチップセットのＮＢ１３０５を介して接続している。このように、ＮＢ１３０５を介して接続する理由は、ＣＰＵ１３０４自体のインターフェイスが公開されていないためである。
【００５５】
　ここで、このＡＳＩＣ１３０１とＮＢ１３０５は、単にＰＣＩを介して接続されているのではなく、ＡＧＰ１３０８を介して接続されている。このようにＡＧＰ１３０８を介して接続することとした理由は、この画像形成装置１２００がプラットフォーム１２２０やアプリケーション１２３０を形成する複数のプロセスを実行制御する関係上、これらを低速のＰＣＩで接続したのでは、パフォーマンスが低下するからである。
【００５６】
　ＣＰＵ１３０４は、画像形成装置１２００の全体制御をおこなうものであり、具体的には、ＯＳ１２２１上でプラットフォーム１２２０を形成するＳＣＳ１２２２、ＳＲＭ１２２３、ＥＣＳ１２２４、ＭＣＳ１２２５、ＯＣＳ１２２６、ＦＣＳ１２２７、ＮＣＳ１２２８をそれぞれプロセスとして起動して実行させるとともに、アプリケーション１２３０を形成するプリンタアプリ１２１１、コピーアプリ１２１２、ファックスアプリ１２１３、スキャナアプリ１２１４、文書管理Ｗｅｂサービスアプリ１２１５、チケット管理Ｗｅｂサービスアプリ１２１７を起動して実行させる。
【００５７】
　ＮＢ１３０５は、ＣＰＵ１３０４とＭＥＭ−Ｐ１３０６、ＳＢ１３０７、ＡＳＩＣ１３０１とを接続するためのブリッジであり、ＭＥＭ−Ｐ１３０６は、画像形成装置の描画用メモリなどとして用いるシステムメモリであり、ＭＥＭ−Ｃ１３０２は、コピー用画像バッファ、符号バッファとして用いるローカルメモリであり、ＡＳＩＣ１３０１は、画像処理用のハードウェア要素を有する画像処理用途向けのＩＣである。
【００５８】
　ＳＢ１３０７は、ＮＢ１３０５とＲＯＭ、ＰＣＩデバイス、周辺デバイスとを接続するためのブリッジである。ＳＢ１３０７は、コントローラ１３００での時間を計測するＲＴＣ（Real Time Clock）１３２３を有する。また、ＳＢ１３０７は、内部にＵＳＢホストを有し、例えば、ＵＳＢ接続のカメラを接続することで画像データを取り込むことが可能であり、また、他のＵＳＢターゲットからデータを受け取ることも可能である。
【００５９】
　画像形成装置１２００では、ＳＢ１３０７、ＮＩＣ１３１１、ＵＳＢターゲット１３１２、ＩＥＥＥ1394１３１３、セントロニクス１３１４、シリアル１３１５、ＵＳＢホスト１３１６、ＦＣＵ１３２０の標準のＧ３、Ｇ３オプション、Ｇ４オプションの複数のポートを介して送受信されるデータがＨＤＤ１３０３に蓄積され一元的に管理される。
【００６０】
　ＨＤＤ１３０３は、画像データの蓄積、プログラムの蓄積、フォントデータの蓄積、フォームの蓄積を行うためのストレージであり、オペレーションパネル１３１０は、操作者からの入力操作の受け付け並びに操作者に向けた表示をおこなう操作部である。
【００６１】
　したがって、ＡＳＩＣ１３０１には、ＭＥＭ−Ｃ１３０２を接続するためのＲＡＭインターフェイスと、ＨＤＤ１３０３を接続するためのハードディスクインターフェースが設けられ、これらの記憶部に対して画像データの入出力をおこなう場合には、入出力先がＲＡＭインターフェイスまたはハードディスクインターフェースに切り替えられる。
【００６２】
　ＡＧＰ１３０８は、グラフィック処理を高速化するために提案されたグラフィックスアクセラレーターカード用のバスインターフェイスであり、システムメモリに高スループットで直接アクセスすることにより、グラフィックスアクセラレーターカードを高速にする。
【００６３】
　以下、上述したような図１に示す全体機能構成、及び、図２に示すハードウェア構成を有する画像形成装置１２００がネットワークを介して接続される装置間で連携して蓄積された文書、画像データ等の複写又は印刷をＷｅｂサービスとして提供する機能構成例について説明する。ここで、Ｗｅｂサービスとは、ネットワークを介して接続される装置からのＨＴＴＰ（Hypertext Transfer Protocol）リクエストによるサービス要求に応じて、画像形成装置１２００が所定の処理を行ない、その処理結果をＨＴＴＰレスポンスとして該装置へ提供することを言う。
【００６４】
　先ず、ネットワークを介して、画像形成装置１２００からＷｅｂサービスが提供される仕組みについて図３で説明する。図３は、本発明の第一実施例に係るネットワークシステム構成例を示す図である。図３において、図１に示す全体機能構成、及び、図２に示すハードウェア構成を有する画像形成装置１２００は、画像形成装置１２００と同等の図１に示す機能を有する画像形成装置１０００と、パーソナルコンピュータとしての端末３０と、ネットワーク１５を介して接続される。
【００６５】
　図３において、画像形成装置１０００のＨＤＤ１３０３Ｂに蓄積された文書又は画像データ（以下、総称して文書という）を画像形成装置１２００に複写するパターンが示される。ここで、画像形成装置１０００は、文書送り元装置として、蓄積している文書を画像形成装置１２００へ送信する。また、画像形成装置１２００は、文書送り先装置として、画像形成装置１０００から送信された文書をＨＤＤ１３０３に蓄積することによって複写する。
【００６６】
　図３に示す画像形成装置１２００及び１０００、及び端末３０の各機能構成について説明する。先ず、画像形成装置１２００の機能構成について図４で説明する。図４は、本発明の第一実施例に係る文書処理制御部を持たない画像形成装置の機能構成例を示す図である。図４において、図１に示す画像形成装置１２００の機能構成のうち主要な機能構成のみが図示され、他の機能構成は省略される。図４より、画像形成装置１２００の文書管理Ｗｅｂサービスアプリ１２１６は、主に、ＳＯＡＰ（Simple Object Access Protocol）に従ってメッセージ交換を制御するサーバ部１００と、Ｗｅｂサービスを提供する機能としてのＷｅｂサービスファンクション（ＷＳＦ）として文書管理に関する処理を文書が蓄積されるＨＤＤ１３０３をアクセスすることによって実行する文書管理Ｗｅｂサービス実行部１３０と、Ｗｅｂサービスの要求及び提供に関するＳＯＡＰに従ったメッセージ交換を行うクライアント部２００とを有する。
【００６７】
　サーバ部１００は、更に、ＳＯＡＰに従ったＨＴＴＰリクエストに設定された処理要求を示すＳＯＡＰコマンドを解析するＳＯＡＰコマンド解析部１１０と、ＨＴＴＰレスポンスに設定されるメッセージとして、ＳＯＡＰに従ってレスポンスを構築するＳＯＡＰレスポンス構築部１２０とを有する。
【００６８】
　ＳＯＡＰコマンド解析部１１０は、ＨＴＴＰリクエストからＳＯＡＰコマンドを解析して、ＨＤＤ１３０３に画像形成装置１２００にて処理された文書を蓄積する処理、ＨＤＤ１３０３に蓄積されている文書に対する更新、削除等の処理、ＨＤＤ１３０３に蓄積されている文書の書誌情報を取得する処理等を実行する文書管理Ｗｅｂサービス実行部１３０に処理を通知する。
【００６９】
　ＳＯＡＰレスポンス構築部１２０は、ＳＯＡＰコマンド解析部１３０による処理の通知に応じて、文書管理Ｗｅｂサービス実行部１３０が実行した処理の処理結果を文書管理Ｗｅｂサービス実行部１３０から受信し、該処理結果を示すＳＯＡＰに従ったメッセージを生成して、ＨＴＴＰレスポンスとしてＮＣＳ１２２８のｈｔｔｐｄ２によってネットワーク１５上へ送信する。
【００７０】
　クライアント部２００は、更に、処理要求を示すＳＯＡＰコマンドがＨＴＴＰリクエスト内に設定されるようにＳＯＡＰに従ったメッセージを構築するＳＯＡＰコマンド構築部２１０と、ＨＴＴＰレスポンスに設定されたＳＯＡＰに従ったメッセージを解釈するＳＯＡＰレスポンス解釈部２２０とを有する。
【００７１】
　画像形成装置１０００の機能構成は、画像形成装置１２００と同様であるためその説明を省略する。ただし、説明の便宜上、同じ処理部には英字Ｂを付加した符号で示す。
【００７２】
　次に、図３に示す端末３０について図５で説明する。図５は、本発明の第一実施例に係る文書処理制御部を有する端末の機能構成例を示す図である。
【００７３】
　図５において、端末３０は、ＣＰＵ（中央処理装置）によって制御されるパーソナルコンピュータであって、ＨＴＴＰに従ってネットワーク１５を介して通信を制御するネットワーク制御部３３０と、ＳＯＡＰに従ったメッセージ交換を制御するクライアント部２００Ｃと、利用者との間で行われるデータの入出力を制御する入出力制御部３４０と、入出力制御部３４０から出力される表示用データを表示する表示部１３と、利用者による文書の複写要求に応じて、画像形成装置１０００から画像形成装置１２００へ文書を複写する文書複写シーケンスを制御する文書処理制御部３００とを有する。
【００７４】
　利用者は、端末３０を利用して、表示部１３に表示される画像形成装置１０００の文書リストから複写する文書をマウス又はキーボード等の入力装置（図示せず）を用いて選択し、複写先として画像形成装置１２００を選択する。この場合、利用者によって入力されたデータは、入出力制御部３４０によってＳＯＡＰコマンド構築部２１０Ｃに通知される。ＳＯＡＰコマンド構築部２１０Ｃは、入出力制御部３４０から通知されたデータに基づいて、画像形成装置１２００に対して画像形成装置１０００から文書を複写する処理要求を示すＳＯＡＰコマンドを作成しネットワーク制御部３３０に通知する。ネットワーク制御部３３０は、ＨＴＴＰリクエストとして画像形成装置１２００へ送信する。
【００７５】
　端末３０のネットワーク制御部３３０は、画像形成装置１２００からＨＴＴＰレスポンスを受信すると、クライアント部２００ＣのＳＯＡＰレスポンス解釈部２２０Ｃに通知する。ＳＯＡＰレスポンス解釈部２２０Ｃは、通知されたＨＴＴＰレスポンスから処理結果を取り出して、表示部１３に表示させるため、入出力制御部３４０にその処理結果を通知する。入出力制御部３４０は、表示部１３へ処理結果を表示させる。
【００７６】
　文書処理制御部３００は、画像形成装置１０００から文書を複写するための画像形成装置１０００との処理シーケンスを制御するシーケンス制御部３１０と、画像形成装置１２００と画像形成装置１０００とによって処理可能な文書タイプを判断する文書タイプ判断部３２０とを有する。
【００７７】
　シーケンス制御部３１０は、利用者が表示部１３に表示された画面から複写処理を指定すると、画像形成装置１０００から利用者が指定した文書を取得する際の取得可能な文書タイプリストを要求する文書取得可能タイプリスト要求コマンドを画像形成装置１０００へ送信するようにＳＯＡＰコマンド構築部２１０Ｃに指示する。また、文書を複写するための書き込み可能な文書タイプリストを要求する文書書込可能タイプリスト要求コマンドを画像形装置１２００へ送信するようにＳＯＡＰコマンド構築部２１０Ｃに指示する。
【００７８】
　シーケンス制御部３１０は、ＳＯＡＰレスポンス解釈部２２０Ｃから画像形成装置１０００及び画像形成装置１２００の夫々の文書タイプリストを取得すると、文書タイプ判断部３２０に画像形成装置１０００と画像形成装置１２００とで処理可能な文書タイプの特定を要求する。そして、シーケンス制御部３１０は、文書タイプ判断部３２０によって特定された文書タイプを用いてＳＯＡＰコマンド構築部２１０Ｃに対して画像形成装置１０００の文書を画像形成装置１２００へ複写する要求コマンドを送信し、その応答に応じて表示部１３に複写が終了したことを示すダイアログを表示させる。
【００７９】
　文書タイプ判断部３２０は、シーケンス制御部３１０から通知された画像装置１０００で提供可能な文書タイプのリストを示す送り元タイプリスト３０２と、画像形成装置１２００が書込可能な文書タイプのリストを示す送り先タイプリスト３０４とに共通に処理可能な文書タイプがあるか否かを判断し、最も好ましい文書タイプを１つ特定する。文書タイプ判断部３２０は、特定した文書タイプをシーケンス制御部３１０に通知する。
【００８０】
　次に、端末３０が、利用者からの複写要求に応じて、画像形成装置１２００に対して、画像形成装置１０００から文書を取得して複写するように制御するＰＵＬＬ型の文書複写シーケンスについて説明する。図６は、端末によるＰＵＬＬ型文書複写シーケンスの例を示す図である。図６において、端末３０を利用する利用者が表示部１３に表示されるネットワーク１５を介して接続される装置の一覧を示す装置一覧から所望文書が格納されている画像形成装置１０００を選択すると（ステップＳ４１０）、端末３０は、文書リストを要求する文書リスト要求コマンドを画像形成装置１０００に送信する（ステップＳ４１１）。画像形成装置１０００は、文書管理Ｗｅｂサービス実行部１３０ＢによってＨＤＤ１３０３Ｂから取得した文書リストを端末３０に送信する（ステップＳ４１１−２）。
【００８１】
　端末３０は、文書リストを受信すると、表示部１３に表示すべきサムネイルデータを要求するサムネイル要求コマンドを画像形成装置１０００に送信する（ステップＳ４１２）。画像形成装置１０００は、サムネイル要求コマンドに応じた処理を文書管理Ｗｅｂサービス実行部１３０Ｂにて行う。文書管理Ｗｅｂサービス実行部１３０Ｂから通知された文書のサムネイルデータを端末３０へ送信する（ステップＳ４１２−２）。サムネイルデータとは、例えば、文書の先頭ページを縮小した画像見本である。
【００８２】
　端末３０の表示部１３に、画像形成装置１０００が蓄積している文書の一覧が、ステップＳ４１２−２にて受信したサムネイルデータに基づいて各文書を表現するサムネイルによって表示されると、利用者は、所望文書のサムネイルを装置一覧で示される所望する装置へドラッグ＆ドロップ操作して、複写すべき文書及びその文書が複写される装置を特定する（ステップＳ４１３）。この場合、利用者は、画像形成装置１０００に蓄積される文書を画像形成装置１２００へドラッグ＆ドロップ操作する。
【００８３】
　端末３０は、複写すべき文書に関する書誌情報を要求する書誌情報要求コマンドを画像形成装置１０００へ送信する（ステップＳ４１４）。画像形成装置１０００は、端末３０からの書誌情報要求コマンドに応じて、文書管理Ｗｅｂサービス実行部１３０Ｂによって文書に関する書誌情報をＨＤＤ１３０３Ｂから取得し、その書誌情報を端末３０へ送信する（ステップＳ４１４−２）。
【００８４】
　端末３０は、書誌情報を受信すると、システム情報を要求するシステム情報要求コマンドを画像形成装置１０００に送信する（ステップＳ４１５）。画像形成装置１０００は、端末３０からのシステム情報を要求するシステム情報要求コマンドに応じて、システム情報を端末３０に送信する（ステップＳ４１５−２）。端末３０は、画像形成装置１０００から取得したシステム情報に基づいて、画像形成装置１０００がチケットによる処理が行えることを確認する。更に、端末３０は、システム情報を要求するシステム情報要求コマンドを画像形成装置１２００に送信する（ステップＳ４１６）。画像形成装置１２００は、端末３０からのシステム情報を要求するシステム情報要求コマンドに応じて、システム情報を端末３０に送信する（ステップＳ４１６−２）。端末３０は、画像形成装置１２００から取得したシステム情報に基づいて、画像形成装置１２００がチケットによる処理が行えることを確認する。
【００８５】
　そして、端末３０は、表示部１３に複写確認ダイアログを表示する（ステップＳ４１７）。利用者が複写処理の実行を示すＯＫを選択すると（ステップＳ４１８）、端末３０は、画像形成装置１０００から取得可能な文書タイプのリストを要求する文書取得可能タイプリスト要求コマンドを画像形成装置１０００に送信する（ステップＳ４１９）。画像形成装置１０００は、端末３０からの文書取得可能タイプリスト要求コマンドに応じて、取得可能な文書タイプのリストを文書取得可能タイプリストとして端末３０へ送信する（ステップＳ４１９−２）。端末３０は、文書取得可能タイプリストを画像形成装置１０００から受信すると、文書取得可能タイプリストを送り元タイプリスト３０２として保持する。更に、端末３０は、画像形成装置１２００から書込可能な文書タイプのリストを要求する文書書込可能タイプリスト要求コマンドを画像形成装置１２００に送信する（ステップＳ４２０）。端末３０は、文書書込可能タイプリストを画像形成装置１２００から受信すると、文書書込可能タイプリストを送り先タイプリスト３０４として保持する。
【００８６】
　シーケンス制御部３１０は、文書タイプ判断部３２０によって、画像形成装置１０００から取得可能な文書タイプが示される送り元タイプリスト３０２と画像形成装置１２００で書込可能な文書タイプが示される送り先タイプリスト３０４とに基づいて、画像形成装置１０００から取得可能であって、画像形成装置１２００で書込可能な文書タイプが存在するか否かを判断し、最適な文書タイプを特定する（ステップＳ４２１）。文書タイプ判断部３２０は、この判断結果に基づいて、複数の文書タイプが存在する場合、その中から最適な一つの文書タイプを特定する。文書タイプが存在しない場合、予め設定された文書タイプを最適な文書タイプとする。
【００８７】
　端末３０は、画像形成装置１０００に蓄積された文書を利用するためのチケットを文書タイプを指定して要求するチケット要求コマンドを画像形成装置１０００に送信する（ステップＳ４２２）。画像形成装置１０００からチケットを受信すると（ステップＳ４２２−２）、端末３０は、画像形成装置１２００に対して、画像形成装置１０００から利用者の所望文書を複写することを要求するチケットを用いた文書複写要求コマンドを送信する（ステップＳ４２３）。
【００８８】
　画像形成装置１２００において、チケットを用いた文書複写要求コマンドを端末３０から受信すると、ページ画像を要求するページ画像要求コマンドを画像形成装置１０００に送信する（ステップＳ４２４）。画像形成装置１０００は、ページ画像要求コマンドで指定されるチケットに基づいて、チケットで指定される文書タイプで利用者が選択した文書のページ画像を画像形成装置１２００へ送信する（ステップＳ４２４−２）。ページ画像要求コマンドにて複数のページ画像を指定するようにしても良いし、又は、１ページ分のページ画像を指定し、ページ画像を画像形成装置１０００から受信する毎に、次のページ画像を指定したページ画像要求コマンドを画像形成装置１０００に送信する処理を繰り返しても良い。
【００８９】
　画像形成装置１２００は、画像形成装置１０００から受信したページ画像をＨＤＤ１３０３に格納する（ステップＳ４２５）。全てのページ画像をＨＤＤ１３０３に格納すると、ステップＳ４２３にて文書複写要求コマンドを送信してきた端末３０に文書複写が終了したことを示す終了応答を送信する（ステップＳ４２５−２）。端末３０は、終了応答を受信すると、表示部１３に複写が終了したことを示すダイアログを表示する（ステップＳ４２６）。
【００９０】
　図６における説明中、操作側としての端末３０において、画像形成装置１０００又は画像形成装置１２００へ送信される要求コマンドは、クライアント部２００ＣのＳＯＡＰコマンド構築部２１０ＣによってＨＴＴＰリクエストのメッセージにＳＯＡＰコマンドとして設定され（ステップＳ４１１、Ｓ４１２、Ｓ４１４、Ｓ４１５、Ｓ４１６、Ｓ４１９、Ｓ４２０、Ｓ４２２及びＳ４２３）、そのＨＴＴＰリクエストに応じた処理結果を示すＨＴＴＰレスポンスは、クライアント部２００ＣのＳＯＡＰレスポンス解釈部２２０Ｃによって取り出される。
【００９１】
　また、文書送り元装置としての画像形成装置１０００において、受信した要求コマンドは、サーバ部１００ＢのＳＯＡＰコマンド解析部１１０ＢでＳＯＡＰコマンドとして解析され、対応する処理が文書管理Ｗｅｂサービス実行部１３０Ｂによって実行される。文書管理Ｗｅｂサービス実行部１３０Ｂによる処理結果がサーバ部１００ＢのＳＯＡＰレスポンス構築部１２０ＢによってＷｅｂサービスとして端末３０へ提供される（ステップＳ４１１−２、Ｓ４１２−２、Ｓ４１４−２、Ｓ４１５−２、Ｓ４１９−２及びＳ４２２−２）。
【００９２】
　更に、文書送り先装置としての画像形成装置１２００において、画像形成装置１０００へ送信される要求コマンドは、クライアント部２００のＳＯＡＰコマンド構築部２１０によってＨＴＴＰリクエストのメッセージにＳＯＡＰコマンドとして設定され（ステップＳ４２４）、そのＨＴＴＰリクエストに応じた処理結果を示すＨＴＴＰレスポンスは、クライアント部２００のＳＯＡＰレスポンス解釈部２２０によって取り出される。また、受信した要求コマンドは、サーバ部１００のＳＯＡＰコマンド解析部１１０でＳＯＡＰコマンドとして解析され、そのＳＯＡＰコマンドに応じた処理を実行した処理結果は、サーバ部１００のＳＯＡＰレスポンス構築部１２０によってＷｅｂサービスとして端末３０へ提供される（ステップＳ４２５−２）。
【００９３】
　上記より、文書処理制御部３００を有する端末３０は、端末３０を利用する利用者が指定した画像形成装置１０００の文書を適切な文書タイプにて取得し、画像形成装置１２００のＨＤＤ１３０３に格納することによって文書複写を実現することができる。
【００９４】
　上述された文書取得可能タイプリスト要求コマンドについて図７で説明する。図７は、ＳＯＡＰによる文書取得可能タイプリスト要求コマンドを示すＨＴＴＰリクエストの例を示す図である。記述３１は、ＰＯＳＴメソッドによってＨＴＴＰリクエストが送信されるＵＲＬ（Uniform Resource Locator）を示し、例えば、「ｎｅｔｄｏｃ」である。更に、記述３２で、リクエストの目的を表すＵＲＬが示され、例えば、「http://foo.bar.com/netdoc/documentmanagement」によって「文書管理」が指定される。記述３３はＳＯＡＰヘッダを示し、ルート要素が示される。記述３４は、ＳＯＡＰボディを示す。記述３４において、<ns:documentmanagement>から</ns:documentmanagement>で示される記述３５にて、要求する処理を特定するＳＯＡＰコマンドと、処理する際に参照される情報等が設定される。
【００９５】
　記述３４によるＳＯＡＰボディにおいて、記述５０に<operation>によってＳＯＡＰコマンド「getFileVariation」が指定される。
【００９６】
　図７に示すＨＴＴＰリクエストに応じたＨＴＴＰレスポンスについて図８で説明する。図８は、ＳＯＡＰによるチケットを用いた文書複写要求コマンドに対するＨＴＴＰレスポンスの例を示す図である。図８に示すＨＴＴＰレスポンスにおいて、記述４２は、リクエストが成功したことを示す。記述４３はＳＯＡＰヘッダを示し、ルート要素が示される。記述４４は、ＳＯＡＰボディを示す。記述４４において、<ns:documentmanagementResponse>から</ns:documentmanagementResponse>で示される記述４５にて、処理結果が示される。例えば、<result>に処理が正常終了したことを示す「success」が設定される。
【００９７】
　記述４４によるＳＯＡＰボディにおいて、<type>による記述５２、５３及び５４によって、画像形成装置１０００から取得可能な３つの文書タイプが設定される。記述５２では、<format>によって画像データの圧縮形式「Tiff」、<imageType>によってイメージタイプ「１ｂｉｔ／ｄｏｔ」、<binary>によって解像度「６００×６００」が指定される。記述５３では、<format>によって画像データの圧縮形式「Jpeg」、<imageType>によってイメージタイプ「８ｂｉｔ／ｄｏｔ」、<binary>によって解像度「３００×３００」が指定される。記述５４では、<format>によって画像データの圧縮形式「Jpeg2000」、<imageType>によってイメージタイプ「８ｂｉｔ／ｄｏｔ」、<binary>によって解像度「６００×６００」が指定される。
【００９８】
　このようなＨＴＴＰレスポンスを画像形成装置１２００が受信すると、記述５２〜５４で示される文書タイプがＳＯＡＰレスポンス解釈部２２０によって取り出され、送り元タイプリスト３０２として、例えば、｛“Ｔｉｆｆ”，“１ｂｉｔ／ｄｏｔ”，６００×６００｝、｛“Ｊｐｅｇ”，“８ｂｉｔ／ｄｏｔ”，３００×３００｝、｛“Ｊｐｅｇ２０００”，“８ｂｉｔ／ｄｏｔ”，６００×６００｝のように設定される。また、送り先タイプリスト３０４として、例えば、画像形成装置１２００にて文書書込可能タイプリスト要求コマンドを内部的に発行することによって取得した｛“Ｔｉｆｆ”，“１ｂｉｔ／ｄｏｔ”，３００×３００｝、｛“Ｊｐｅｇ”，“８ｂｉｔ／ｄｏｔ”，３００×３００｝が、設定される。文書タイプ判断部３２０は、これら送り元タイプリスト３０２と送り先タイプリスト３０４とを比較して一致する文書タイプがあるか否かを判断する。この場合、｛“Ｊｐｅｇ”，“８ｂｉｔ／ｄｏｔ”，３００×３００｝が一致する文書タイプであると判断され、唯一一致する文書タイプであるためこの文書タイプに特定される。特定された文書タイプは、後述される図１１に示すようなＨＴＴＰリクエストに設定される。
【００９９】
　上述された文書複写要求コマンドについて図９で説明する。図９は、ＳＯＡＰによるチケットを用いた文書複写要求コマンドを示すＨＴＴＰリクエストの例を示す図である。図９に示すＨＴＴＰリクエストにおいて、記述３１は、ＰＯＳＴメソッドによってＨＴＴＰリクエストが送信されるＵＲＬ（Uniform Resource Locator）を示し、例えば、「ｎｅｔｄｏｃ」である。更に、記述３２で、リクエストの目的を表すＵＲＬが示され、例えば、「http://foo.bar.com/netdoc/documentmanagement」によって「文書管理」が指定される。
【０１００】
　記述３３はＳＯＡＰヘッダを示し、ルート要素が示される。記述３４は、ＳＯＡＰボディを示す。記述３４において、<ns:documentmanagement>から</ns:documentmanagement>で示される記述３５にて、要求する処理を特定するＳＯＡＰコマンドと、処理する際に参照される情報等が設定される。例えば、チケットを用いた文書複写要求コマンドの場合、記述３６がチケットの番号を<ticketId>で特定すると共に、記述３７がＳＯＡＰコマンドを<operation>で特定する。例えば、チケット番号として「１２３」、ＳＯＡＰコマンドとして「getFileByTicket」が設定される。
【０１０１】
　図９に示すＨＴＴＰリクエストに応じたＨＴＴＰレスポンスについて図１０で説明する。図１０は、ＳＯＡＰによるチケットを用いた文書複写要求コマンドに対するＨＴＴＰレスポンスの例を示す図である。図１０に示すＨＴＴＰレスポンスにおいて、記述４２は、リクエストが成功したことを示す。記述４３はＳＯＡＰヘッダを示し、ルート要素が示される。記述４４は、ＳＯＡＰボディを示す。記述４４において、<ns:documentmanagementResponse>から</ns:documentmanagementResponse>で示される記述４５にて、処理結果が示される。例えば、<result>で示される記述４６にて処理が正常終了したことを示す「success」が設定される。
【０１０２】
　更に、上述されたページ画像要求コマンドを示すＨＴＴＰリクエストの例について図１１で説明する。図１１は、ＳＯＡＰによるページ画像要求コマンドを示すＨＴＴＰリクエストの例を示す図である。図１１中、図９と同じ記述には同一の符号を付し、その説明を省略する。図１１に示すＨＴＴＰリクエストの記述３４によるＳＯＡＰボディにおいて、記述５９が文書タイプを<type>で特定すると共に、記述６０がＳＯＡＰコマンドを<operation>で特定する。例えば、文書タイプとして、図１０のＨＴＴＰレスポンスで通知された記述５３に相当する、<format>によって画像データのフォーマット「Jpeg」、<imageType>によってイメージタイプ「８ｂｉｔ／ｄｏｔ」、<binary>によって解像度「３００×３００」が指定される。また、記述６０に<operation>によってＳＯＡＰコマンド「getFile(TicketID)」が指定される。
【０１０３】
　図１１に示すＨＴＴＰリクエストに応じたＨＴＴＰレスポンスについて図１２で説明する。図１２は、ＳＯＡＰによるページ画像要求コマンドに対するＨＴＴＰレスポンスの例を示す図である。図１２中、図１０と同じ記述には同一の符号を付し、その説明を省略する。図１２に示すＨＴＴＰレスポンスの記述６１において、形式の異なる複数のデータがあることを示し、記述６６の「XX_boundary」によって複数のデータ間の境界を示すことが記述されている。記述６２は、テキストデータに関するテキストの記述形式、コード、テキストデータ長等の情報が設定される。記述４４のＳＯＡＰボディにおける記述６３は、ページ画像要求コマンドに対する処理が正常に終了したことを示す「success」が<result>で示される。
【０１０４】
　記述６４において、イメージデータに関するイメージのデータ形式、テキスト又はバイナリ等を示す転送データ種別、イメージデータ長等の情報が設定され、続いてイメージデータ６６が設定される。例えば、データ形式がＴｉｆｆで転送データ種別がバイナリ（binary）であれば、イメージデータ６６には、バイナリのＴｉｆｆイメージデータが設定される。
【０１０５】
　このような図１２に示すＨＴＴＰレスポンスによって、画像形成装置１２００は、バイナリのＴｉｆｆイメージデータをＨＴＴＰレスポンスから取り出して、ＨＤＤ１３０３に格納することによって、画像形成装置１０００に蓄積された文書の複写を行う。
【０１０６】
　上記例では、ＨＴＴＰレスポンスに画像データを組み込んで画像形成装置１２００に送信する方法を説明したが、画像データの送受信は、ファイル転送プロトコル（ｆｔｐｄ３）によって行うようにしても良い。
【０１０７】
　上記ＰＵＬＬ型文書複写シーケンスにおいて、以下のＳＯＡＰコマンドが使用される。
【０１０８】
【表１】
2004133923.tif 000003
上記ＳＯＡＰコマンドは、図７、図９及び図１１で説明したように、ＳＯＡＰボディの<operation>で指定される。
【０１０９】
　次に、端末３０が、利用者からの複写要求に応じて、画像形成装置１０００に対して、画像形成装置１２００へ文書を添付したＨＴＴＰリクエストによって複写するように制御するＰＵＳＨ型の文書複写シーケンスについて説明する。図１３は、端末によるＰＵＳＨ型文書複写シーケンスの例を示す図である。図１３において、端末３０を利用する利用者が表示部１３に表示されるネットワーク１５を介して接続される装置の一覧を示す装置一覧から所望文書が格納されている画像形成装置１０００を選択すると（ステップＳ４３０）、端末３０は、文書リストを要求する文書リスト要求コマンドを画像形成装置１０００に送信する（ステップＳ４３１）。画像形成装置１０００は、文書管理Ｗｅｂサービス実行部１３０ＢによってＨＤＤ１３０３Ｂから取得した文書リストを端末３０に送信する（ステップＳ４３１−２）。
【０１１０】
　端末３０は、文書リストを受信すると、表示部１３に表示すべきサムネイルデータを要求するサムネイル要求コマンドを画像形成装置１０００に送信する（ステップＳ４３２）。画像形成装置１０００は、サムネイル要求コマンドに応じた処理を文書管理Ｗｅｂサービス実行部１３０Ｂにて行う。文書管理Ｗｅｂサービス実行部１３０Ｂから通知された文書のサムネイルデータを端末３０へ送信する（ステップＳ４３２−２）。サムネイルデータとは、例えば、文書の先頭ページを縮小した画像見本である。
【０１１１】
　端末３０の表示部１３に、画像形成装置１０００が蓄積している文書の一覧が、ステップＳ４１２−２にて受信したサムネイルデータに基づいて各文書を表現するサムネイルによって表示されると、利用者は、所望文書のサムネイルを装置一覧で示される所望する装置へドラッグ＆ドロップ操作して、複写すべき文書及びその文書が複写される装置を特定する（ステップＳ４３３）。この場合、利用者は、画像形成装置１０００に蓄積される文書を画像形成装置１２００へドラッグ＆ドロップ操作する。
【０１１２】
　端末３０は、複写すべき文書に関する書誌情報を要求する書誌情報要求コマンドを画像形成装置１０００へ送信する（ステップＳ４３４）。画像形成装置１０００は、端末３０からの書誌情報要求コマンドに応じて、文書管理Ｗｅｂサービス実行部１３０Ｂによって文書に関する書誌情報をＨＤＤ１３０３Ｂから取得し、その書誌情報を端末３０へ送信する（ステップＳ４３４−２）。
【０１１３】
　端末３０は、書誌情報を受信すると、システム情報を要求するシステム情報要求コマンドを画像形成装置１０００に送信する（ステップＳ４３５）。画像形成装置１０００は、端末３０からのシステム情報を要求するシステム情報要求コマンドに応じて、システム情報を端末３０に送信する（ステップＳ４３５−２）。端末３０は、画像形成装置１０００から取得したシステム情報に基づいて、画像形成装置１０００がチケットによる処理が行えることを確認する。更に、端末３０は、システム情報を要求するシステム情報要求コマンドを画像形成装置１２００に送信する（ステップＳ４３６）。画像形成装置１２００は、端末３０からのシステム情報を要求するシステム情報要求コマンドに応じて、システム情報を端末３０に送信する（ステップＳ４３６−２）。端末３０は、画像形成装置１２００から取得したシステム情報に基づいて、画像形成装置１２００がチケットによる処理が行えることを確認する。
【０１１４】
　そして、端末３０は、表示部１３に複写確認ダイアログを表示する（ステップＳ４３７）。利用者が複写処理の実行を示すＯＫを選択すると（ステップＳ４３８）、端末３０は、画像形成装置１０００から取得可能な文書タイプのリストを要求する文書取得可能タイプリスト要求コマンドを画像形成装置１０００に送信する（ステップＳ４３９）。画像形成装置１０００は、端末３０からの文書取得可能タイプリスト要求コマンドに応じて、取得可能な文書タイプのリストを文書取得可能タイプリストとして端末３０へ送信する（ステップＳ４３９−２）。端末３０は、文書取得可能タイプリストを画像形成装置１０００から受信すると、文書取得可能タイプリストを送り元タイプリスト３０２として保持する。更に、端末３０は、画像形成装置１２００から書込可能な文書タイプのリストを要求する文書書込可能タイプリスト要求コマンドを画像形成装置１２００に送信する（ステップＳ４４０）。端末３０は、文書書込可能タイプリストを画像形成装置１２００から受信すると、文書書込可能タイプリストを送り先タイプリスト３０４として保持する。
【０１１５】
　シーケンス制御部３１０は、文書タイプ判断部３２０によって、画像形成装置１０００から取得可能な文書タイプが示される送り元タイプリスト３０２と画像形成装置１２００で書込可能な文書タイプが示される送り先タイプリスト３０４とに基づいて、画像形成装置１０００から取得可能であって、画像形成装置１２００で書込可能な文書タイプが存在するか否かを判断し、最適な文書タイプを特定する（ステップＳ４４１）。文書タイプ判断部３２０は、この判断結果に基づいて、複数の文書タイプが存在する場合、その中から最適な一つの文書タイプを特定する。文書タイプが存在しない場合、予め設定された文書タイプを最適な文書タイプとする。
【０１１６】
　端末３０は、画像形成装置１２００に文書を書き込むためのチケットを要求する文書書込チケット要求コマンドを画像形成装置１２００に送信する（ステップＳ４４２）。画像形成装置１２００からチケットを受信すると（ステップＳ４４２−２）、端末３０は、画像形成装置１０００に対して、画像形成装置１０００から利用者の所望文書を複写することを要求するチケットを用いた文書複写要求コマンドを送信する（ステップＳ４４３）。この時、文書複写要求コマンドにてステップＳ４４１にて特定した文書タイプを指定する。
【０１１７】
　画像形成装置１０００は、端末３０から文書複写要求コマンドを受信すると、空ファイルの作成を要求する空ファイル作成要求コマンドを画像形成装置１２００に送信する（ステップＳ４４４）。画像形成装置１２００は、空ファイルを生成し、そのファイルＩＤを画像形成装置１０００へ送信する（ステップＳ４４４−２）。画像形成装置１０００は、画像形成装置１２００から受信したファイルＩＤを指定したチケットによるページ画像を書き込むことを要求するページ画像書込要求コマンドを送信する（ステップＳ４４５）。画像形成装置１２００は、文書管理Ｗｅｂサービス実行部１３０Ｂによって、ファイルＩＤによって特定されるファイルに画像形成装置１０００から受信したページ画像を格納する（ステップＳ１４６）。画像形成装置１２００は、ページ画像をファイルに格納すると、画像形成装置１０００に対して、終了応答を送信する（ステップ１４６−２）。ページ画像書込要求コマンドでは、例えば、利用者が選択した文書の複数のページ画像を指定するようにしても良いし、又は、１ページ分のページ画像を指定し、ページ画像を画像形成装置１２００から受信する毎にファイルに格納する処理を繰り返しても良い。
【０１１８】
　画像形成装置１０００は、全てのページ画像が格納されたことを示す終了応答を受信すると、ステップＳ４２３による文書書込要求コマンドによる処理が終了したことを示す終了応答を端末３０に送信する。端末３０は、複写終了ダイアログを表示部１３に表示する。
【０１１９】
　図１３における説明中、操作側としての端末３０において、画像形成装置１０００又は画像形成装置１２００へ送信される要求コマンドは、クライアント部２００ＣのＳＯＡＰコマンド構築部２１０ＣによってＨＴＴＰリクエストのメッセージにＳＯＡＰコマンドとして設定され（ステップＳ４３１、Ｓ４３２、Ｓ４３４、Ｓ４３５、Ｓ４３６、Ｓ４３９、Ｓ４４０、Ｓ４４２及びＳ４４３）、そのＨＴＴＰリクエストに応じた処理結果を示すＨＴＴＰレスポンスは、クライアント部２００ＣのＳＯＡＰレスポンス解釈部２２０Ｃによって取り出される。
【０１２０】
　また、文書送り先装置としての画像形成装置１２００において、受信した要求コマンドは、サーバ部１００のＳＯＡＰコマンド解析部１１０でＳＯＡＰコマンドとして解析され、対応する処理が文書管理Ｗｅｂサービス実行部１３０によって実行される。文書管理Ｗｅｂサービス実行部１３０による処理結果がサーバ部１００のＳＯＡＰレスポンス構築部１２０によってＷｅｂサービスとして端末３０又は画像形成装置１０００へ提供される（ステップＳ４３６−２、Ｓ４４０−２、Ｓ４４２−２、Ｓ４４４−２及びＳ４４６−２）。
【０１２１】
　更に、文書送り元装置としての画像形成装置１０００において、画像形成装置１２００へ送信される要求コマンドは、クライアント部２００ＢのＳＯＡＰコマンド構築部２１０ＢによってＨＴＴＰリクエストのメッセージにＳＯＡＰコマンドとして設定され（ステップＳ４４４及びＳ４４５）、そのＨＴＴＰリクエストに応じた処理結果を示すＨＴＴＰレスポンスは、クライアント部２００ＢのＳＯＡＰレスポンス解釈部２２０Ｂによって取り出される。また、受信した要求コマンドは、サーバ部１００ＢのＳＯＡＰコマンド解析部１１０ＢでＳＯＡＰコマンドとして解析され、そのＳＯＡＰコマンドに応じた処理を実行した処理結果は、サーバ部１００ＢのＳＯＡＰレスポンス構築部１２０ＢによってＷｅｂサービスとして端末３０へ提供される（ステップＳ４３１−２、Ｓ４３２−２、Ｓ４３４−２、Ｓ４３５−２及びＳ４３９−２）。
【０１２２】
　上述されたページ画像書込要求コマンドを示すＨＴＴＰリクエストの例について図１４で説明する。図１４は、ＳＯＡＰによるページ画像書込要求コマンドを示すＨＴＴＰリクエストの例を示す図である。図１４中、図１０と同じ記述には同一の符号を付し、その説明を省略する。図１４に示すＨＴＴＰレリクエストの記述８１において、形式の異なる複数のデータがあることを示し、記述８６の「XX_boundary」によって複数のデータ間の境界を示すことが記述されている。記述８２は、テキストデータに関するテキストの記述形式、コード、テキストデータ長等の情報が設定される。記述３４のＳＯＡＰボディにおける記述８０は、ＳＯＡＰコマンドを<operation>で特定する。例えば、ＳＯＡＰコマンド「putFile(FileID)」が指定されることによって、画像形成装置１２００にてページ画像をFileIDで指定されるファイルに書き込む処理が行われる。
【０１２３】
　記述８４において、イメージデータに関するイメージのデータ形式、テキスト又はバイナリ等を示す転送データ種別、イメージデータ長等の情報が設定され、続いてイメージデータ８５が設定される。例えば、データ形式がＴｉｆｆで転送データ種別がバイナリ（binary）であれば、イメージデータ８５には、バイナリのＴｉｆｆイメージデータが設定される。
【０１２４】
　このような図１４示すＨＴＴＰリクエストによって、画像形成装置１２００は、バイナリのＴｉｆｆイメージデータをＨＴＴＰリクエストから取り出して、ＨＤＤ１３０３に格納することによって、画像形成装置１０００に蓄積された文書の複写を行う。
【０１２５】
　図１４に示すＨＴＴＰリクエストに応じたＨＴＴＰレスポンスについて図１５で説明する。図１５は、ＳＯＡＰによるページ画像書込要求コマンドに対するＨＴＴＰレスポンスの例を示す図である。図１５中、図１１と同じ記述には同一の符号を付し、その説明を省略する。図１５に示すＨＴＴＰレスポンスにおいて、ＳＯＡＰボディを示す記述４４の<ns:documentmanagementResponse>から</ns:documentmanagementResponse>で示される記述８７にて、印刷処理の結果が示される。例えば、<result>で示される記述８８にて処理が正常終了したことを示す「success」が設定される。
【０１２６】
　上記例では、ＨＴＴＰリクエストに画像データを組み込んで画像形成装置１０００に送信する方法を説明したが、画像データの送受信は、ファイル転送プロトコル（ｆｔｐ３）によって行うようにしても良い。
【０１２７】
　上記ＰＵＳＨ型文書複写シーケンスにおいて、以下のＳＯＡＰコマンドが使用される。
【０１２８】
【表２】
2004133923.tif 000004
上記ＳＯＡＰコマンドは、図７及び図９で説明したように、ＳＯＡＰボディの<operation>で指定される。
【０１２９】
　次に、表示部１３に表示される画面例について図１６から図１９で説明する。図１６は、複写操作画面の例を示す図である。図１６において、画面４００は、ネットワーク１５を介して接続される装置を示す装置一覧を表示する表示域４０１と、表示域４０１で利用者が選択した装置が蓄積している文書を示す文書一覧を１つ１つの文書を表現するサムネイルによって表示する表示域４０２とを有する。画面４００において、例えば、利用者が画像形成装置１０００を送り元装置として表示域４０１から選択すると、表示域４０２に画像形成装置１０００が蓄積する文書の一覧が表示される。利用者は文書Ａを表示域４０２で選択し、ドラッグ＆ドロップ操作によって矢印４０３で画像形成装置１２００を送り先装置として指定する。ここで、利用者は、複数の文書を選択することも可能である。
【０１３０】
　利用者のドラッグ＆ドロップ操作によって画像形成装置１２００が指定されると、図１７に示すような複写を確認するための複写確認ダイアログが表示される。図１７は、複写確認ダイアログの例を示す図である。図１７より、複写確認ダイアログ４１０は、利用者へのメッセージが表示される表示域４１１と、複写処理をキャンセルするためのキャンセルボタン４１２と、複写処理を実行するためのＯＫボタン４１３とを有する。例えば、利用者は図１６の複写操作画面４００にて複数の文書Ａ、Ｂ、Ｃ、及びＤを選択した場合、表示域４１１には、「文書Ａ、文書Ｂ、文書Ｃ、文書Ｄを画像形成装置１２００に複写しますか？」等のメッセージが表示され、利用者に複写する文書と複写する装置とを確認する。
【０１３１】
　利用者が複写確認ダイアログ４１０にてＯＫボタン４１３を選択すると、図１８に示すような複数の文書の複写モードを指定するダイアログが表示される。一方、例えば、利用者が図１６の複写操作画面にて文書Ａのみを選択した場合、図１７の複写確認ダイアログにてＯＫボタン４１３を選択すると、複写処理が実行される。
【０１３２】
　図１８は、複数文書複写モード指定ダイアログの例を示す図である。図１８より、複数文書複写モード指定ダイアログ４４０は、複写モードを選択する選択域４４１と、順序を指定するための順序指定ボタン４４２と、複写処理をキャンセルするためのキャンセルボタン４４３と、複写処理を実行するためのＯＫボタン４４４とを有する。選択域４４１は、例えば、「選択した文書を　○別文書として複写する　○１つの文書として複写する」等のメッセージが表示され、利用者がいずれか一方を選択すると、○印が◎で表示される。更に、利用者が、複数文書の複写順序を指定するために、順序指定ボタン４４２を選択すると、図１９に示すような複数の文書の複写順序を指定するダイアログが表示される。
【０１３３】
　図１９は、複数文書順序指定ダイアログの例を示す図である。図１９より、複数文書順序指定ダイアログ４５０は、利用者が選択した複数文書の文書一覧を表示する表示域４５１と、文書の順番を前にする（上げる）ためのボタン４５２と、文書の順番を後にする（下げる）ためのボタン４５３と、複写処理をキャンセルするためのキャンセルボタン４５４と、複写処理を実行するためのＯＫボタン４５５とを有する。
【０１３４】
　複数文書順序指定ダイアログ４５０において、利用者が文書Ｂの複写順序を変更したい場合、表示域４５１から文書Ｂを選択して、ボタン４５２を選択することによって、文書Ｂを例えば文書Ａより前に複写するように設定することができる。また、ボタン４５３を選択することによって、文書Ｃ又は文書Ｄの後に複写するように設定することができる。このような操作によって、複写順を設定しＯＫボタン４５５を選択すると、複写処理が実行され、利用者が設定した複写順で文書Ａ〜Ｄが画像形成装置１０００から画像形成装置１２００へ複写される。
【０１３５】
　上記第一実施例では、図３に示す画像形成装置１０００から画像形成装置１２００へ文書を複写する処理を装置間で連携して行う方法について説明したが、画像形成装置１０００の文書を画像形成装置１２００で印刷する処理を装置間で連携して行う方法について第二実施例で説明する。以下、第二実施例において、画像形成装置１０００及び１２００の全体機能構成及びハードウェア構成は、第一実施例における図１及び図２に示される構成と同様である。また、文書処理制御部を持たない画像形成装置１０００及び１２００の機構構成は、図４に示す機能構成と同様である。更に、文書処理制御部３００を有する端末の機能構成は、図５に示す機能構成と同様である。よって、それら機能構成の詳細な説明を省略する。
【実施例２】
【０１３６】
　図２０は、本発明の第二実施例に係るネットワークシステム構成例を示す図である。図２０において、画像形成装置１２００及び画像形成装置１０００は、図１に示す機能構成、及び、図２に示すハードウェア構成を有し、パーソナルコンピュータとしての端末３０は、図５に示す機能構成を有する。画像形成装置１０００、画像形成装置１２００、及び端末３０とは、ネットワーク１５を介して接続される。
【０１３７】
　図２０において、画像形成装置１０００のＨＤＤ１３０３Ｂに蓄積された文書又は画像データ（以下、総称して文書という）を画像形成装置１２００で印刷処理を行い画像形成された用紙４を出力する。ここで、画像形成装置１０００は、文書送り元装置として、蓄積している文書を画像形成装置１２００へ送信する。また、画像形成装置１２００は、文書送り先装置として、画像形成装置１０００から送信された文書を印刷して出力する。
【０１３８】
　図２０に示す画像形成装置１２００の文書管理Ｗｅｂサービスアプリ１２１６の機能構成について説明する。図２１は、本発明の第二実施例に係る文書管理Ｗｅｂサービスアプリの機能構成例を示す図である。図２１中、図４と同様の処理部には同一の符号を付し、その説明を省略する。図２１において、図１に示す画像形成装置１２００の機能構成のうち主要な機能構成のみが図示され、他の機能構成は省略される。図２１より、画像形成装置１２００の文書管理Ｗｅｂサービスアプリ１２１６は、Ｗｅｂサービスを提供する機能としてのＷｅｂサービスファンクション（ＷＳＦ）としてプロッタ１２０１を制御することによって、利用者によって指定された文書を印刷する印刷Ｗｅｂサービス実行部１４０を有する点において、第一実施例の文書管理Ｗｅｂサービスアプリ１２１６と異なっている。
【０１３９】
　図２１に示す画像形成装置１２００、図４に示す画像形成装置１０００、及び、図５に示す端末３０の機能構成において実現される図２０に示す文書複写シーケンスを説明する。図２２は、端末によるＰＵＬＬ型文書印刷シーケンスの例を示す図である。
【０１４０】
　図２２において、端末３０を利用する利用者が表示部１３に表示されるネットワーク１５を介して接続される装置の一覧を示す装置一覧から所望文書が格納されている画像形成装置１０００を選択すると（ステップＳ４５０）、端末３０は、文書リストを要求する文書リスト要求コマンドを画像形成装置１０００に送信する（ステップＳ４５１）。画像形成装置１０００は、文書管理Ｗｅｂサービス実行部１３０ＢによってＨＤＤ１３０３Ｂから取得した文書リストを端末３０に送信する（ステップＳ４５１−２）。
【０１４１】
　端末３０は、文書リストを受信すると、表示部１３に表示すべきサムネイルデータを要求するサムネイル要求コマンドを画像形成装置１０００に送信する（ステップＳ４５２）。画像形成装置１０００は、サムネイル要求コマンドに応じた処理を文書管理Ｗｅｂサービス実行部１３０Ｂにて行う。文書管理Ｗｅｂサービス実行部１３０Ｂから通知された文書のサムネイルデータを端末３０へ送信する（ステップＳ４５２−２）。サムネイルデータとは、例えば、文書の先頭ページを縮小した画像見本である。
【０１４２】
　端末３０の表示部１３に、画像形成装置１０００が蓄積している文書の一覧が、ステップＳ４５２−２にて受信したサムネイルデータに基づいて各文書を表現するサムネイルによって表示されると、利用者は、所望文書のサムネイルを装置一覧で示される所望する装置へドラッグ＆ドロップ操作して、複写すべき文書及びその文書を印刷する装置を特定する（ステップＳ４５３）。この場合、利用者は、画像形成装置１０００に蓄積される文書を画像形成装置１２００へドラッグ＆ドロップ操作する。
【０１４３】
　端末３０は、印刷すべき文書に関する書誌情報を要求する書誌情報要求コマンドを画像形成装置１０００へ送信する（ステップＳ４５４）。画像形成装置１０００は、端末３０からの書誌情報要求コマンドに応じて、文書管理Ｗｅｂサービス実行部１３０Ｂによって文書に関する書誌情報をＨＤＤ１３０３Ｂから取得し、その書誌情報を端末３０へ送信する（ステップＳ４５４−２）。
【０１４４】
　端末３０は、書誌情報を受信すると、システム情報を要求するシステム情報要求コマンドを画像形成装置１２００に送信する（ステップＳ３５５）。端末３０は、画像形成装置１２００からシステム情報を受信すると（ステップＳ３５５−２）、チケットによって印刷処理が行えることを確認する。
【０１４５】
　端末３０は、画像形成装置１０００から取得可能な文書タイプのリストを要求する文書取得可能タイプリスト要求コマンドを画像形成装置１０００に送信する（ステップＳ４５６）。画像形成装置１０００は、端末３０からの文書取得可能タイプリスト要求コマンドに応じて、取得可能な文書タイプリストを送信する（ステップＳ４５６−２）。端末３０は、画像形成装置１０００から取得可能な文書タイプリストを受信すると、送り元タイプリスト３０２として保持する。更に、端末３０は、画像形成装置１２００に対して印刷可能な文書タイプリストを要求する文書印刷可能タイプリスト要求コマンドを送信する（ステップＳ３５７）。画像形成装置１２００は、文書印刷可能タイプリストを端末３０へ送信する（ステップＳ３５７−２）。端末３０は、画像形成装置１２００から印刷可能な文書タイプリストを受信すると、送り先タイプリスト３０４として保持する。
【０１４６】
　そして、端末３０は、表示部１３に印刷確認ダイアログを表示する（ステップＳ３５８）。利用者が印刷処理の実行を示すＯＫを選択すると（ステップＳ３５９）、端末３０のシーケンス制御部３１０は、画像形成装置１０００から取得可能な文書タイプが示される送り元タイプリスト３０２と画像形成装置１２００で印刷可能な文書タイプが示される送り先タイプリスト３０４とに基づいて、画像形成装置１０００から取得可能であって、画像形成装置１２００で印刷可能な文書タイプが存在するか否かを判断し、最適な文書タイプを特定する（ステップＳ４６０）。文書タイプ判断部３２０は、この判断結果に基づいて、複数の文書タイプが存在する場合、その中から最適な一つの文書タイプを特定する。文書タイプが存在しない場合、予め設定された文書タイプを最適な文書タイプとする。
【０１４７】
　端末３０は、画像形成装置１０００に蓄積された文書を利用するために、ステップＳ４６０で特定した文書タイプを指定して、チケットを要求するチケット要求コマンドを画像形成装置１０００に送信する（ステップＳ４６１）。画像形成装置１０００は、チケットを端末３０に送信する（ステップＳ４６１−２）。更に、端末３０は、利用者が指定した文書が片面又は両面等を示す印刷属性情報を要求する印刷属性情報要求コマンドを画像形成装置１０００に送信する（ステップＳ４６２）。画像形成装置１０００は、印刷属性情報を端末３０へ送信する（ステップＳ４６２−２）。
【０１４８】
　端末３０は、印刷属性情報を受信すると、画像形成装置１２００に対して印刷処理を行うためのジョブの作成を要求するジョブ作成要求コマンドを送信する（ステップＳ４６３）。画像形成装置１２００は、ジョブを作成し、そのジョブを識別するためのジョブＩＤを端末３０に送信する（ステップＳ４６３−２）。更に、端末３０は、印刷属性の設定を要求する印刷属性設定コマンドを画像形成装置１２００へ送信する（ステップＳ４６４）。画像形成装置１２００は、印刷属性を設定して、端末３０へ終了したことを示す終了応答を送信する（ステップＳ４６４−２）。
【０１４９】
　端末３０は、ステップＳ４６１−２で取得したチケットを用いて、文書の印刷を要求する印刷要求コマンドを画像形成装置１２００へ送信する（ステップＳ４６５）。画像形成装置１２００は、文書タイプを指定したチケットによるページ画像を要求するページ画像要求コマンドを画像形成装置１０００へ送信する（ステップＳ４６４）。画像形成装置１００は、ページ画像要求コマンドに応じて、指定される文書のページ画像を画像形成装置１２００に送信する（ステップＳ４６６−２）。ページ画像要求コマンドでは、例えば、利用者が選択した文書の複数のページ画像を指定するようにしても良いし、又は、１ページ分のページ画像を指定し、ページ画像を画像形成装置１０００から受信する毎に、次のページ画像を指定したページ画像要求コマンドを画像形成装置１０００に送信する処理を繰り返しても良い。
【０１５０】
　画像形成装置１２００は、画像形成装置１０００から全てのページ画像を受信すると、印刷Ｗｅｂサービス実行部１４０がプロッタ１２０１によって印刷処理を行う（ステップＳ４６７）。印刷Ｗｅｂサービス実行部１４０による印刷処理が終了すると、ステップＳ３６０に対する応答として、印刷処理が終了したことを示す終了応答を端末３０へ送信する（ステップＳ４６７−２）。終了応答を受信した端末３０は、表示部１３に印刷が終了したことを示す印刷終了ダイアログを表示する（ステップＳ４６８）。
【０１５１】
　図２２における説明中、操作側としての端末３０において、画像形成装置１０００又は画像形成装置１２００へ送信される要求コマンドは、クライアント部２００ＣのＳＯＡＰコマンド構築部２１０ＣによってＨＴＴＰリクエストのメッセージにＳＯＡＰコマンドとして設定され（ステップＳ４５１、Ｓ４５２、Ｓ４５４、Ｓ４５５、Ｓ４５６、Ｓ４５７、Ｓ４６１、Ｓ４６２、Ｓ４６３、Ｓ４６４及びＳ４６５）、そのＨＴＴＰリクエストに応じた処理結果を示すＨＴＴＰレスポンスは、クライアント部２００ＣのＳＯＡＰレスポンス解釈部２２０Ｃによって取り出される。
【０１５２】
　また、文書送り元装置としての画像形成装置１０００において、受信した要求コマンドは、サーバ部１００ＢのＳＯＡＰコマンド解析部１１０ＢでＳＯＡＰコマンドとして解析され、対応する処理が文書管理Ｗｅｂサービス実行部１３０Ｂによって実行される。文書管理Ｗｅｂサービス実行部１３０Ｂによる処理結果がサーバ部１００のＳＯＡＰレスポンス構築部１２０ＢによってＷｅｂサービスとして端末３０又は画像形成装置１２００へ提供される（ステップＳ４５１−２、Ｓ４５２−２、Ｓ４５４−２、Ｓ４５６−２、Ｓ４６１−２、Ｓ４６２−２及びＳ３６４−２）。
【０１５３】
　更に、文書送り先装置としての画像形成装置１２００において、画像形成装置１０００へ送信される要求コマンドは、クライアント部２００のＳＯＡＰコマンド構築部２１０によってＨＴＴＰリクエストのメッセージにＳＯＡＰコマンドとして設定され（ステップＳ４６６）、そのＨＴＴＰリクエストに応じた処理結果を示すＨＴＴＰレスポンスは、クライアント部２００のＳＯＡＰレスポンス解釈部２２０によって取り出される。また、受信した要求コマンドは、サーバ部１００のＳＯＡＰコマンド解析部１１０でＳＯＡＰコマンドとして解析され、そのＳＯＡＰコマンドに応じた処理を実行した処理結果は、サーバ部１００のＳＯＡＰレスポンス構築部１２０によってＷｅｂサービスとして端末３０へ提供される（ステップＳ４５５−２、Ｓ４５７−２、Ｓ４６３−２、Ｓ４６４−２、Ｓ４６５−２、及びＳ４６７−２）。
【０１５４】
　上記より、文書処理制御部３００を有する端末３０は、端末３０を利用する利用者が指定した画像形成装置１０００の文書を適切な文書タイプにて画像形成装置１２００が取得できるように制御し、画像形成装置１２００のプロッタ１２０１によって文書印刷を実現することができる。
【０１５５】
　次に、表示部１３に表示される画面例について図２３及び図２４で説明する。図２３及び図２４中、図１６と同様の表示部には同一の符号を付し、その説明を省略する。図２３は、複写又は印刷確認ダイアログの例を示す図である。図２３より、複写又は印刷確認ダイアログ４２０は、複写又は印刷を選択する選択域４２１と、処理の詳細を設定する詳細ボタン４２２と、複写又は印刷処理をキャンセルするためのキャンセルボタン４２３と、複写又は印刷処理を実行するためのＯＫボタン４２４とを有する。利用者は図１６の複写操作画面４００にて文書Ａを選択した場合、選択域４２１には、例えば、「文書Ａを画像形成装置１２００に　○複写する　○印刷する」等のメッセージが表示され、利用者に文書Ａの複写又は印刷の選択をさせる。利用者が印刷を選択すると◎が表示される。
【０１５６】
　利用者が複写又は印刷確認ダイアログ４２０にて印刷を選択して詳細ボタン４２２を選択すると、図２４に示すような印刷処理の詳細を設定するダイアログが表示される。図２４は、詳細印刷設定ダイアログの例を示す図である。図２４より、詳細印刷設定ダイアログ４３０は、印刷部数を設定する設定域４３１と、印刷順を選択する選択域４３２と、フィニッシング処理を選択する選択域４３３と、印刷処理をキャンセルするためのキャンセルボタン４３４と、印刷処理を実行するためのＯＫボタン４３５とを有する。利用者は、設定域４３１で印刷部数を設定する。印刷部数が２部以上である場合、利用者は、設定域４３２にてソート印刷又はスタック印刷をいずれかを選択することが可能となる。例えば、利用者がソート印刷を選択すると○の表示が◎に変更する。また、利用者は、設定域４３３にてステーブル又はパンチのいずれかを選択することが可能となる。例えば、利用者がステープルを選択すると○の表示が◎に変更する。そして、利用者がＯＫボタン４３５を選択すると、印刷処理が実行される。
【０１５７】
　第一実施例及び第二実施例において、文書処理制御部３００を有する端末３０が、画像形成装置１０００と画像形成装置１２００における処理可能な文書タイプに基づいて、端末３０にて利用者が設定した文書を文書タイプを指定して要求することによって、適切な画像処理を画像形成装置１２００において実行することができ、ネットワークを介して装置間で連携した処理を行うことができる。例えば、文書送り元装置としての画像形成装置１０００の文書が文書送り先装置としての画像形成装置１２００で保存できる最大サイズより大きい場合、文書処理制御部３００の文書タイプ判断部３２０による判断によって、画像の縮小機能を用いて縮小したページ画像を指定することができる。
【０１５８】
　また、文書処理制御部３００が画像形成装置１２００と画像形成装置１０００との処理シーケンスを複写処理、印刷処理等の処理種別に応じて制御するため、ネットワークを介して装置間で連携した種々の処理を行うことができる。
【０１５９】
　上記第一実施例及び第二実施例において、ネットワークを介して装置間で行われる複写処理又は印刷処理について説明したが、これら処理に限定されるものではない。本発明は、ファイル管理、スキャナ制御等に適応することも可能である。更に、本発明は、画像形成装置１０００又は１２００に関する情報を処理するために適用することも可能である。
【０１６０】
　また、端末３０、画像形成装置１０００及び１２００とでなされる通信は、有線によるＬＡＮに限定されるものではない。つまり、ＳＯＡＰによるメッセージ交換は、無線ＬＡＮ、ブルートゥース等のネットワーク系では、ネットワークの物理層が異なるものの、ＴＣＰ／ＩＰで通信可能であるため、ＷｅｂサービスのようにｈｔｔｐとＳＯＡＰの形態によって実現可能である。更に、ＩＥＥＥ1394、ＵＳＢ、赤外線通信等のシリアル通信系では、いずれもＩＰ接続が可能であるので、ネットワーク系と同様に、ＷｅｂサービスのようにｈｔｔｐとＳＯＡＰの形態によって実現可能である。また、セントロニクス、ＳＣＳＩ等のパラレル系では、いずれも通信する内容について独自拡張が許されているため、通信する両者で同意しておくことによって、ＳＯＡＰによるメッセージ交換が実現可能である。
【図面の簡単な説明】
【０１６１】
【図１】本発明の一実施例に係る複数の画像形成機能を融合する画像形成装置の全体機能構成を示すブロック図である。
【図２】図１に示す画像形成装置のハードウェア構成を示すブロック図である。
【図３】本発明の一実施例に係るネットワークシステム構成例を示す図である。
【図４】本発明の一実施例に係る文書処理制御部を持たない画像形成装置の機能構成例を示す図である。
【図５】本発明の第一実施例に係る文書処理制御部を有する端末の機能構成例を示す図である。
【図６】端末によるＰＵＬＬ型文書複写シーケンスの例を示す図である。
【図７】ＳＯＡＰによる文書取得可能タイプリスト要求コマンドを示すＨＴＴＰリクエストの例を示す図である。
【図８】ＳＯＡＰによるチケットを用いた文書複写要求コマンドに対するＨＴＴＰレスポンスの例を示す図である。
【図９】ＳＯＡＰによるチケットを用いた文書複写要求コマンドを示すＨＴＴＰリクエストの例を示す図である。
【図１０】ＳＯＡＰによるチケットを用いた文書複写要求コマンドに対するＨＴＴＰレスポンスの例を示す図である。
【図１１】ＳＯＡＰによるページ画像要求コマンドを示すＨＴＴＰリクエストの例を示す図である。
【図１２】ＳＯＡＰによるページ画像要求コマンドに対するＨＴＴＰレスポンスの例を示す図である。
【図１３】端末によるＰＵＳＨ型文書複写シーケンスの例を示す図である。
【図１４】ＳＯＡＰによるページ画像書込要求コマンドを示すＨＴＴＰリクエストの例を示す図である。
【図１５】ＳＯＡＰによるページ画像書込要求コマンドに対するＨＴＴＰレスポンスの例を示す図である。
【図１６】複写操作画面の例を示す図である。
【図１７】複写確認ダイアログの例を示す図である。
【図１８】複数文書複写モード指定ダイアログの例を示す図である。
【図１９】複数文書順序指定ダイアログの例を示す図である。
【図２０】本発明の第二実施例に係るネットワークシステム構成例を示す図である。
【図２１】本発明の第二実施例に係る文書管理Ｗｅｂサービスアプリの機能構成例を示す図である。
【図２２】端末によるＰＵＬＬ型文書印刷シーケンスの例を示す図である。
【図２３】複写又は印刷確認ダイアログの例を示す図である。
【図２４】詳細印刷設定ダイアログの例を示す図である。
【符号の説明】
【０１６２】
　１００、１００Ｂ　　サーバ部
　１１０、１１０Ｂ　　ＳＯＡＰコマンド解析部
　１２０、１２０Ｂ　　ＳＯＡＰレスポンス構築部
　２００、２００Ｂ、２００Ｃ　　クライアント部
　２１０、２１０Ｂ、２１０Ｃ　　ＳＯＡＰコマンド構築部
　２２０、２２０Ｂ、２２０Ｃ　　ＳＯＡＰレスポンス解釈部
　３００　　　文書処理制御部
　３１０　　　シーケンス制御部、　　３２０　　　文書タイプ判断部
　１０００　　画像形成装置
　１２００　　画像形成装置
　１２０１　　プロッタ　　　　　　　１２０２　　スキャナ
　１２１０　　ソフトウェア群
　１２１６、１２１６Ｂ　　文書管理Ｗｅｂサービスアプリ
　１２１７　　チケット管理Ｗｅｂサービスアプリ
　１２３０　　アプリケーション、　　１２２０　　プラットフォーム
　１２２１　　ＯＳ、　　　　　　　　１２２２　　ＳＣＳ
　１２２３　　ＳＲＭ、　　　　　　　１２２４　　ＥＣＳ
　１２２５　　ＭＣＳ、　　　　　　　１２２６　　ＯＣＳ
　１２２７　　ＦＣＳ、　　　　　　　１２２８　　ＮＣＳ
　１２２９　　ＩＭＨ、　　　　　　　１２４０　　起動部
　１３００　　コントローラ、　　　　１３０１　　ＡＳＩＣ
　１３０２　　ＭＥＭ−Ｃ、　　　　　１３０３　　ＨＤＤ
　１３０４　　ＣＰＵ、　　　　　　　１３０５　　ＮＢ
　１３０６　　ＭＥＭ−Ｐ、　　　　　１３０７　　ＳＢ
　１３０８　　ＡＧＰ、　　　　　　　１３１０　　オペレーションパネル
　１３３０　　ＵＳＢ、　　　　　　　１３４０　　ＩＥＥＥ１３９４
【図１】
2004133923.tif 000005
【図２】
2004133923.tif 000006
【図３】
2004133923.tif 000007
【図４】
2004133923.tif 000008
【図５】
2004133923.tif 000009
【図６】
2004133923.tif 000010
【図７】
2004133923.tif 000011
【図８】
2004133923.tif 000012
【図９】
2004133923.tif 000013
【図１０】
2004133923.tif 000014
【図１１】
2004133923.tif 000015
【図１２】
2004133923.tif 000016
【図１３】
2004133923.tif 000017
【図１４】
2004133923.tif 000018
【図１５】
2004133923.tif 000019
【図１６】
2004133923.tif 000020
【図１７】
2004133923.tif 000021
【図１８】
2004133923.tif 000022
【図１９】
2004133923.tif 000023
【図２０】
2004133923.tif 000024
【図２１】
2004133923.tif 000025
【図２２】
2004133923.tif 000026
【図２３】
2004133923.tif 000027
【図２４】
2004133923.tif 000028